(57)【要約】【課題】放電ランプの電力をＡＣ２次側から連続調整できる調整に便利な放電ランプ点灯装置を提供する。【解決手段】高圧放電ランプ４と、電源入力端子１に入力された電圧をパルス幅変調制御信号によりスイッチング動作するチョッパ回路２と、高電圧パルスを発生させて高圧放電ランプ４を起動するイグナイタ３と、ランプ電力に相当する電圧を出力するランプ電力演算回路９と、ランプ電力演算回路９の出力電圧と等しくなるようにチョッパ回路を制御するパルス幅変調制御回路８と、電力制御のためのパルスを出力する直流変換回路５と、絶縁回路６を介して入力された直流変換回路５からのパルスを直流電圧化するローパスフィルタ７とを設けたことを特徴とする。【選択図】      図１
2005004978.tif 000002
【特許請求の範囲】
【請求項１】
高圧放電ランプと、
電源入力端子に入力された電圧をパルス幅変調制御信号によりスイッチング動作するチョッパ回路と、
高電圧パルスを発生させて前記高圧放電ランプを起動するイグナイタと、
ランプ電力に相当する電圧を出力するランプ電力演算回路と、
そのランプ電力演算回路の出力電圧と等しくなるように前記チョッパ回路を制御するパルス幅変調制御回路とを備えた放電ランプ点灯装置において、
電力制御のためのパルスを出力する直流変換回路と、
絶縁回路を介して入力された前記直流変換回路からのパルスを直流電圧化するローパスフィルタとを設け、
前記パルス幅変調制御回路の基準電圧を、前記ローパスフィルタの出力電圧としたことを特徴とする放電ランプ点灯装置。
【請求項２】
高圧放電ランプと、
電源入力端子に入力された電圧をパルス幅変調制御信号によりスイッチング動作するチョッパ回路と、
高電圧パルスを発生させて前記高圧放電ランプを起動するイグナイタと、
ランプ電力に相当する電圧を出力するランプ電力演算回路と、
そのランプ電力演算回路の出力電圧と等しくなるように前記チョッパ回路を制御するパルス幅変調制御回路とを備えた放電ランプ点灯装置において、
電力制御のためのパルスを出力する直流変換回路と、
絶縁回路を介して入力された前記直流変換回路からのパルスを直流電圧化するローパスフィルタと、
固定電圧入力端子と、
前記ローパスフィルタからの電圧または固定電圧入力端子からの電圧のいずれか一方の電圧を選択する選択手段とを設け、  前記パルス幅変調制御回路の基準電圧を、前記選択手段により、前記ローパスフィルタからの電圧または固定電圧入力端子からの電圧のいずれか一方の電圧に切り換えることを特徴とする放電ランプ点灯装置。
【請求項３】
請求項１または請求項２記載の放電ランプ点灯装置において、前記高圧放電ランプが投射型ディスプレイの光源であることを特徴とする放電ランプ点灯装置。
【発明の詳細な説明】
【０００１】
【発明の属する技術分野】
本発明は、液晶プロジェクタなどの投射型ディスプレイの光源に用いる放電ランプの点灯装置に係り、特に電源入力端子に入力された電圧をパルス幅変調制御信号によりスイッチング動作するチョッパ回路と、高電圧パルスを発生させて高圧放電ランプを起動するイグナイタと、ランプ電力に相当する電圧を出力するランプ電力演算回路と、そのランプ電力演算回路の出力電圧と等しくなるように前記チョッパ回路を制御するパルス幅変調制御回路とを備えた放電ランプの点灯装置に関するものである。
【０００２】
【従来の技術】
投射型ディスプレイの光源としては、変換効率が高く、点光源に近いものが得やすい理由から、メタルハライドランプや高圧水銀ランプなどの高圧放電ランプが使用されている。
【０００３】
この放電ランプの点灯には、点灯に必要な電圧および電流を供給する専用の放電ランプ点灯装置が使用されている。
【０００４】
従来の放電ランプ点灯装置として、例えば下記の特許文献１などを挙げることができる。
【０００５】
【特許文献１】
特開平１０−３９９６号公報
【０００６】
【発明が解決しようとする課題】
ところで従来の放電ランプ点灯装置は、ＡＣ１次側に設けられているため、ＡＣ２次側から電力を連続調整できないという不便さがあった。
【０００７】
本発明の目的は、このような従来技術の欠点を解消し、放電ランプの電力をＡＣ２次側から連続調整できる調整に便利な放電ランプ点灯装置を提供することにある。
【０００８】
【課題を解決するための手段】
前記目的を達成するため本発明の第１の手段は、高圧放電ランプと、
電源入力端子に入力された電圧をパルス幅変調制御信号によりスイッチング動作するチョッパ回路と、
高電圧パルスを発生させて前記高圧放電ランプを起動するイグナイタと、
ランプ電力に相当する電圧を出力するランプ電力演算回路と、
そのランプ電力演算回路の出力電圧と等しくなるように前記チョッパ回路を制御するパルス幅変調制御回路とを備えた放電ランプ点灯装置において、
電力制御のためのパルスを出力する直流変換回路と、
絶縁回路を介して入力された前記直流変換回路からのパルスを直流電圧化するローパスフィルタとを設け、
前記パルス幅変調制御回路の基準電圧を、前記ローパスフィルタの出力電圧としたことを特徴とするものである。
【０００９】
前記目的を達成するため本発明の第２の手段は、高圧放電ランプと、
電源入力端子に入力された電圧をパルス幅変調制御信号によりスイッチング動作するチョッパ回路と、
高電圧パルスを発生させて前記高圧放電ランプを起動するイグナイタと、
ランプ電力に相当する電圧を出力するランプ電力演算回路と、
そのランプ電力演算回路の出力電圧と等しくなるように前記チョッパ回路を制御するパルス幅変調制御回路とを備えた放電ランプ点灯装置において、
電力制御のためのパルスを出力する直流変換回路と、
絶縁回路を介して入力された前記直流変換回路からのパルスを直流電圧化するローパスフィルタと、
固定電圧入力端子と、
前記ローパスフィルタからの電圧または固定電圧入力端子からの電圧のいずれか一方の電圧を選択する例えばアナログスイッチなどの選択手段とを設け、
前記パルス幅変調制御回路の基準電圧を、前記選択手段により、前記ローパスフィルタからの電圧または固定電圧入力端子からの電圧のいずれか一方の電圧に切り換えることを特徴とするものである。
【００１０】
本発明の第３の手段は前記第１の手段または第２の手段において、前記高圧放電ランプが投射型ディスプレイの光源であることを特徴とするものである。
【００１１】
【発明の実施の形態】
以下、本発明の実施形態を図面に基づいて説明する。図１は、本発明の第１実施形態に係る放電ランプ点灯装置のブロック図である。
【００１２】
図１において、１は電源入力端子、２はチョッパ回路、３はイグナイタ、４はメタルハライドランプや高圧水銀ランプなどの高圧放電ランプ、５は直流変換回路、６は絶縁回路、７はローパスフィルタ（ＬＰＦ）、８はパルス幅変調（ＰＷＭ）制御回路、９はランプ電力演算回路であり、図に示すような接続関係になっている。
【００１３】
各部の機能は、次の通りである。
前記チョッパ回路２は、電源入力端子１に入力された電圧をＰＷＭ制御回路８からのパルス幅変調（ＰＷＭ）制御信号によりスイッチング動作して、イグナイタ３を介して高圧放電ランプ４に電力を供給して点灯させる。
【００１４】
前記イグナイタ３は、高電圧パルスを発生させて高圧放電ランプ４を起動する。
【００１５】
前記高圧放電ランプ４は、液晶プロジェクタなどの投射型ディスプレイの光源として用いられる。
【００１６】
前記直流変換回路５は、電力制御のためのパルスを出力する。
【００１７】
前記ローパスフィルタ（ＬＰＦ）７は、絶縁回路６を介して入力された直流変換回路５からのパルスを直流電圧化して基準電圧とする。
【００１８】
前記ランプ電力演算回路９は、ランプ電圧またはそれに相当する電圧とランプ電流に相当する電圧から、ランプ電力に相当する電圧を演算しＰＷＭ制御回路８に出力する。
【００１９】
前記ＰＷＭ制御回路８は、ランプ電力演算回路９の出力電圧と等しくなるようにチョッパ回路２を制御する。
【００２０】
本実施形態に係る放電ランプ点灯装置はこのような構成になっており、ＰＷＭ制御回路８の基準電圧を絶縁回路６を介して入力されたパルスの直流変換回路５の出力電圧としたので、高圧放電ランプ４の電力をＡＣ２次側から連続調整することが可能となる。
【００２１】
図２は、本発明の第２実施形態に係る放電ランプ点灯装置のブロック図である。
同図において、１０は固定電圧入力端子、１１はアナログスイッチ、１２はローパスフィルタ（ＬＰＦ）７の出力電圧を検出する検出回路であり、図に示すような接続関係になっている。なお、符号１から９までは、前記図１に示す第１実施形態と同様であるので、それらの説明は省略する。
【００２２】
この実施形態に係る放電ランプ点灯装置の動作を図３を参照しながら説明する。本実施形態では図３に示すように、ＬＰＦ７の出力電圧が予め設定されているＶｔｈより低い場合、検出回路１２の働きによりアナログスイッチ１１を固定電圧入力端子１０に入力された固定電圧（Ｖ２）に自動的に切り換える。
【００２３】
この結果、ＬＰＦ７の出力電圧が極端に低下した場合に高圧放電ランプ４の電力が極端に低下して、ちらついたり消灯したりすることが無くなる。
【００２４】
【発明の効果】
本発明は前述したような構成になっており、ＰＷＭ制御回路８の基準電圧を絶縁回路６を介して入力されたパルスの直流変換回路５の出力電圧としたので、高圧放電ランプ４の電力をＡＣ２次側から調整可能となり、例えばランプ輝度のバラツキなどを調整するのに便利である。
【図面の簡単な説明】
【図１】本発明の第１実施形態に係る放電ランプ点灯装置のブロック図である。
【図２】本発明の第２実施形態に係る放電ランプ点灯装置のブロック図である。
【図３】本発明の第２実施形態に係る放電ランプ点灯装置の動作を説明するための図である。
【符号の説明】
１  電源入力端子
２  チョッパ回路
３  イグナイタ
４  高圧放電ランプ
５  直流変換回路
６  絶縁回路
７  ローパスフィルタ（ＬＰＦ）
８  パルス幅変調（ＰＷＭ）制御回路
９  ランプ電力演算回路
１０  固定電圧入力端子
１１  アナログスイッチ
１２  検出回路
【図１】
2005004978.tif 000003
【図２】
2005004978.tif 000004
【図３】
2005004978.tif 000005